(57)【要約】【課題】外気の状況によらずに花粉の屋内への侵入を防止することができるインテリジェントハウスを提供する。【解決手段】クリーンルームＣＲ内に設置された花粉センサ２３によって測定された花粉量に基づいて玄関ドアＤ１のドアロック４３の解除を制御するドアロック制御機能と、屋外花粉観測装置３１、屋内花粉センサ３２および花粉情報受信装置３３から屋外の花粉量、屋内の花粉量および当該地域の花粉情報をそれぞれ取得する花粉量取得機能と、窓Ｗ１〜Ｗ４の開放動作に伴い花粉に関する警報を窓Ｗ１〜Ｗ４の近傍に設置された警報装置４２に発する窓開放警報機能と、屋外の花粉量および当該地域の花粉情報に応じてエアシャワー装置２０の運転時間を制御する運転時間制御機能とを備えた集中制御装置１０が、インテリジェントハウス内に設置されている。【選択図】図１
2011089299.tif 000002
【特許請求の範囲】
【請求項１】
花粉の屋内への侵入を防止するインテリジェントハウスであって、
エアシャワー装置（２０）および吸込装置（２２）を備えたクリーンルーム（ＣＲ）が前記インテリジェントハウスの玄関ドア（Ｄ１）の外側に隣接して設置されており、
前記エアシャワー装置の噴出口（２１）が前記クリーンルームの天井および両側の壁に取り付けられており、
前記吸込装置が前記クリーンルームの床側に取り付けられており、
前記エアシャワー装置の停止後の前記クリーンルーム内の花粉量を測定するための花粉センサ（２３）が該クリーンルーム内の上部および下部に設置されており、
屋外花粉観測装置（３１）が前記インテリジェントハウスの屋外に設置されており、
屋内花粉センサ（３２）が前記インテリジェントハウス内に設置されており、
インターネットを介して当該地域の花粉情報を受信するための花粉情報受信装置（３３）が前記インテリジェントハウス内に設置されており、
タッチ・開閉センサ（４１）が前記インテリジェントハウスの各窓（Ｗ１〜Ｗ４）に設置されており、
警報装置（４２）が、前記玄関ドアおよび前記各窓の近傍に設置されており、
前記花粉センサによって測定された花粉量に基づいて前記玄関ドアのドアロック（４３）の解除を制御するドアロック制御機能と、前記屋外花粉観測装置、前記屋内花粉センサおよび前記花粉情報受信装置から屋外の花粉量、屋内の花粉量および当該地域の花粉情報をそれぞれ取得する花粉量取得機能と、窓の開放動作に伴い花粉に関する警報を該窓の近傍に設置された前記警報装置に発する窓開放警報機能と、屋外の花粉量および当該地域の花粉情報に応じて前記エアシャワー装置の運転時間を制御する運転時間制御機能とを備えた集中制御装置（１０）が、前記インテリジェントハウス内に設置されている、
ことを特徴とする、インテリジェントハウス。
【請求項２】
前記集中制御装置が、
前記クリーンルーム内の上部に設置された花粉センサによって測定された花粉量および前記クリーンルーム内の下部に設置された花粉センサによって測定された花粉量のうち値が大きい方を前記クリーンルーム花粉量とし、
前記クリーンルーム花粉量が基準値以下であるか否かを調べ、
前記クリーンルーム花粉量が前記基準値以下であると、前記玄関ドアの前記ドアロックを解除し、
前記クリーンルーム花粉量が前記基準値よりも大きいと、前記玄関ドアの前記ドアロックを手動で解除できるようにするとともに、該ドアロックが手動で解除されない限り、前記クリーンルーム花粉量が前記基準値以下になるまで前記玄関ドアの前記ドアロックを解除しない、
ことを特徴とする、請求項１記載のインテリジェントハウス。
【請求項３】
前記集中制御装置が、
前記屋外花粉観測装置、前記屋内花粉センサおよび前記花粉情報受信装置からそれぞれ取得した屋外の花粉量、屋内の花粉量および当該地域の花粉情報を前記玄関ドアおよび前記各窓の近傍に設置され前記警報装置に表示し、
前記屋内花粉センサから取得した屋内の花粉量が屋内基準値よりも大きいと、前記インテリジェントハウス内に設置された空気洗浄機（３４）を起動させる、
ことを特徴とする、請求項１または２記載のインテリジェントハウス。
【請求項４】
前記集中制御装置が、前記花粉センサによって測定された花粉量と前記屋外花粉観測装置および前記花粉情報受信装置からそれぞれ取得した屋外の花粉量および当該地域の花粉情報とを比較し、前記花粉センサによって測定された花粉量が前記屋外の花粉量および前記当該地域の花粉情報と掛け離れた値であると、前記花粉センサが故障していると判定することを特徴とする、請求項１乃至３いずれかに記載のインテリジェントハウス。
【請求項５】
前記集中制御装置が、前記タッチ・開閉センサの出力信号（ＶT1〜ＶT4）に基づいて前記各窓のうち少なくとも一つの窓が開放のために触れられたことを検出すると、前記屋外花粉観測装置および前記花粉情報受信装置からそれぞれ取得した屋外の花粉量および当該地域の花粉情報を音声および画面で示す警報信号（ＶA1〜ＶA4）を該少なくとも一つの窓の近傍に設置された前記警報装置に出力することを特徴とする、請求項１乃至４いずれかに記載のインテリジェントハウス。
【発明の詳細な説明】
【技術分野】
【０００１】
本発明は、外気の状況によらずに花粉が屋内に侵入しないようにするのに好適なインテリジェントハウスに関する。
【背景技術】
【０００２】
従来、居住者が外出先から帰宅した際に衣服や身体などに付着した花粉などを屋内に持ち込むことを防止したインテリジェントハウスとして種々の提案がなされている。
【０００３】
たとえば、下記の特許文献１には、清浄フィルターを介して外気を機械的に取り込む給気手段と、玄関内の空気を屋外に機械的に送り出す排気手段と、住宅に備えられている吸気装置における吸込手段と、帽子などの屋外着装用装具類の収納部とを玄関内に設けることにより、玄関内に花粉などの有害物質が侵入するのを防止しかつ玄関内に持ち込まれた花粉を効果的に除去するようにした住宅が開示されている。
【０００４】
下記の特許文献２には、屋外において建物内に入る人の着衣に付着した花粉を吹き飛ばしたり、建物内を正圧に保ったり、換気に際して建物内へ取り入れる外気中の花粉を分離除去することで、建物内への花粉の侵入を防止するとともに、建物内への侵入を阻止しきれなかった花粉を建物内へ放散する帯電した水分子や床面に塗布または含浸させた不活化剤によって不活化することにより、花粉症の原因となる花粉アレルゲンの低減化対策を建物全体として複合的に講じることで建物内における花粉アレルゲンを効果的に低減できるようにした花粉配慮建物が開示されている。
【０００５】
下記の特許文献３には、複数の空気供給循環ダクトと、空気供給循環ダクト同士の側面間を仕切る複数のパネルと、パネルの一部を構成する扉と、これらで囲まれた空間の上部を仕切るよう配置した機械室と、設置床面とによりエアシャワー室を構成した組立構造とし、吹き出される清浄空気がジェット吹出口に正対する利用者の中心を外して吹き出すように各ジェット吹出口を設置し、ジェット吹出口の近傍に設けた吸込口により汚染空気を迅速に吸い込むことにより、居室内に花粉などを持ち込むことを防止することができるとともに、マンションの風除室などに特段の床補強工事をすることなく簡便な作業で設置できる花粉症対策マンション用のエアシャワー装置が開示されている。
【先行技術文献】
【特許文献】
【０００６】
【特許文献１】特開２００７−０９２３７１号公報
【特許文献２】特開２００７−２８４９８５号公報
【特許文献３】特開２００７−２９５９７６号公報
【発明の概要】
【発明が解決しようとする課題】
【０００７】
しかしながら、上述した従来のインテリジェントハウスでは、居住者の衣服や身体などに付着した花粉が十分に取り除かれたことを確認する手段を備えていないため、花粉が未だ付着したまま居住者が屋内に入ってしまうという問題がある。
また、屋外の花粉量が多い日に居住者が不用意に窓を開けて花粉を屋内に侵入させないようにすることについては考慮されていない。
さらに、衣服や身体などに付着する花粉の量は外気の状況によって変わるため、エアシャワー装置の運転時間が一定であると、外気の状況によっては花粉をエアシャワー装置によって効率的に除去することができないため、花粉が未だ付着したまま居住者が屋内に入ってしまうという問題がある。
【０００８】
本発明の目的は、花粉の屋内への侵入を防止することができるインテリジェントハウスを提供することにある。
【課題を解決するための手段】
【０００９】
本発明のインテリジェントハウスは、花粉の屋内への侵入を防止するインテリジェントハウスであって、エアシャワー装置（２０）および吸込装置（２２）を備えたクリーンルーム（ＣＲ）が前記インテリジェントハウスの玄関ドア（Ｄ１）の外側に隣接して設置されており、前記エアシャワー装置の噴出口（２１）が前記クリーンルームの天井および両側の壁に取り付けられており、前記吸込装置が前記クリーンルームの床側に取り付けられており、前記エアシャワー装置の停止後の前記クリーンルーム内の花粉量を測定するための花粉センサ（２３）が該クリーンルーム内の上部および下部に設置されており、屋外花粉観測装置（３１）が前記インテリジェントハウスの屋外に設置されており、屋内花粉センサ（３２）が前記インテリジェントハウス内に設置されており、インターネットを介して当該地域の花粉情報を受信するための花粉情報受信装置（３３）が前記インテリジェントハウス内に設置されており、タッチ・開閉センサ（４１）が前記インテリジェントハウスの各窓（Ｗ１〜Ｗ４）に設置されており、警報装置（４２）が前記玄関ドアおよび前記各窓の近傍に設置されており、前記花粉センサによって測定された花粉量に基づいて前記玄関ドアのドアロック（４３）の解除を制御するドアロック制御機能と、前記屋外花粉観測装置、前記屋内花粉センサおよび前記花粉情報受信装置から屋外の花粉量、屋内の花粉量および当該地域の花粉情報をそれぞれ取得する花粉量取得機能と、窓の開放動作に伴い花粉に関する警報を該窓の近傍に設置された前記警報装置に発する窓開放警報機能と、屋外の花粉量および当該地域の花粉情報に応じて前記エアシャワー装置の運転時間を制御する運転時間制御機能とを備えた集中制御装置（１０）が、前記インテリジェントハウス内に設置されていることを特徴とする。
ここで、前記集中制御装置が、前記クリーンルーム内の上部に設置された花粉センサによって測定された花粉量および前記クリーンルーム内の下部に設置された花粉センサによって測定された花粉量のうち値が大きい方を前記クリーンルーム花粉量とし、前記クリーンルーム花粉量が基準値以下であるか否かを調べ、前記クリーンルーム花粉量が前記基準値以下であると、前記玄関ドアの前記ドアロックを解除し、前記クリーンルーム花粉量が前記基準値よりも大きいと、前記玄関ドアの前記ドアロックを手動で解除できるようにするとともに、該ドアロックが手動で解除されない限り、前記クリーンルーム花粉量が前記基準値以下になるまで前記玄関ドアの前記ドアロックを解除しなくてもよい。
前記集中制御装置が、前記屋外花粉観測装置、前記屋内花粉センサおよび前記花粉情報受信装置からそれぞれ取得した屋外の花粉量、屋内の花粉量および当該地域の花粉情報を前記玄関ドアおよび前記各窓の近傍に設置され前記警報装置に表示し、前記屋内花粉センサから取得した屋内の花粉量が屋内基準値よりも大きいと、前記インテリジェントハウス内に設置された空気洗浄機（３４）を起動させてもよい。
前記集中制御装置が、前記花粉センサによって測定された花粉量と前記屋外花粉観測装置および前記花粉情報受信装置からそれぞれ取得した屋外の花粉量および当該地域の花粉情報とを比較し、前記花粉センサによって測定された花粉量が前記屋外の花粉量および前記当該地域の花粉情報と掛け離れた値であると、前記花粉センサが故障していると判定してもよい。
前記集中制御装置が、前記タッチ・開閉センサの出力信号（ＶT1〜ＶT4）に基づいて前記各窓のうち少なくとも一つの窓が開放のために触れられたことを検出すると、前記屋外花粉観測装置および前記花粉情報受信装置からそれぞれ取得した屋外の花粉量および当該地域の花粉情報を音声および画面で示す警報信号（ＶA1〜ＶA4）を該少なくとも一つの窓の近傍に設置された前記警報装置に出力してもよい。
【発明の効果】
【００１０】
本発明のインテリジェントハウスは、以下に示す効果を奏する。
（１）花粉センサによって測定された花粉量に基づいて玄関ドアのドアロックの解除を制御するドアロック制御機能を集中制御装置が備えることにより、花粉が未だ付着したまま居住者が屋内に入ってしまうことを防止することができる。
（２）窓の開放動作に伴い花粉に関する警報を警報装置に発する窓開放警報機能を集中制御装置が備えることにより、花粉が多い日に窓を不用意に開けて花粉を屋内に侵入させてしまうことを防止することができる。
（３）屋外の花粉量および当該地域の花粉情報に応じてエアシャワー装置の運転時間を制御する運転時間制御機能を集中制御装置が備えることにより、外気の状況によってエアシャワー装置の運転時間を変えることができるため、外気の状況に応じて居住者の衣服や身体などに付着した花粉をエアシャワー装置によって効率的に除去することができる。
【図面の簡単な説明】
【００１１】
【図１】本発明の一実施例によるインテリジェントハウスの構成を説明するための図である。
【図２】図１に示したクリーンルームＣＲの構成を説明するための図である。
【図３】図１に示した集中制御装置１０の構成を示すブロック図である。
【図４】図３に示したドアロック制御部１１の動作を説明するためのフローチャートである。
【図５】図３に示した窓開放警報部１３の動作を説明するためのフローチャートである。
【発明を実施するための形態】
【００１２】
上記の目的を、クリーンルーム内に設置された花粉センサによって測定された花粉量に基づいて玄関ドアのドアロックの解除を制御するドアロック制御機能と、屋外花粉観測装置、屋内花粉センサおよび花粉情報受信装置から屋外の花粉量、屋内の花粉量および当該地域の花粉情報をそれぞれ取得する花粉量取得機能と、窓の開放動作に伴い花粉に関する警報を窓の近傍に設置された警報装置に発する窓開放警報機能と、屋外の花粉量および当該地域の花粉情報に応じてエアシャワー装置の運転時間を制御する運転時間制御機能とを備えた集中制御装置をインテリジェントハウス内に設置することにより実現した。
【実施例１】
【００１３】
以下、本発明のインテリジェントハウスの実施例について図面を参照して説明する。
本発明の一実施例によるインテリジェントハウスでは、図１に示すように、エアシャワー装置２０および吸込装置２２（図２参照）を備えたクリーンルームＣＲが玄関ドアＤ１の外側に隣接して設置されており、屋外花粉観測装置３１が屋外に設置されており、集中制御装置１０と屋内花粉センサ３２と花粉情報受信装置３３と空気洗浄機３４と４個のタッチ・開閉センサ４１と６個の警報装置４２とが屋内に設置されている。
【００１４】
ここで、４個のタッチ・開閉センサ４１は、４つの窓Ｗ１〜Ｗ４にそれぞれ設置されており、居住者が窓Ｗ１〜Ｗ４に触れたことを検出するとともに、居住者が窓Ｗ１〜Ｗ４を開けたか否かを検出するためのものである。
６個の警報装置４２（たとえば、小型デジタルサイネージ）は、玄関ドアＤ１、裏口ドアＤ２および４つの窓Ｗ１〜Ｗ４の近傍にそれぞれ設置されており、スピーカおよびディスプレイを備えている。
【００１５】
クリーンルームＣＲには、図２に示すように、エアシャワー装置２０の噴出口２１が、天井に１個取り付けられているとともに、両側の壁に２個ずつ取り付けられている。これにより、帰宅した居住者がクリーンルームＣＲ内に取り付けられたスイッチ２０ａを押すと、スイッチオン信号ＶSWがエアシャワー装置２０に出力されてエアシャワー装置２０が動作し、この居住者の頭上および両側からエアシャワーを浴びせて、この居住者の衣服や身体などに付着した花粉を吹き飛ばすようにしている。なお、エアシャワー装置２０の運転時間は、集中制御装置１０からエアシャワー装置２０に入力される運転時間制御信号ＶCRによって設定される。
また、クリーンルームＣＲの両側の壁の床側には、２個の吸込装置２２がそれぞれ取り付けられている。これにより、エアシャワー装置２０によって吹き飛ばされた花粉を２個の吸込装置２２で吸い込んで外に排出するようにしている。
【００１６】
クリーンルームＣＲの図２図示左側の壁の上部および同図図示右側の壁の下部には、エアシャワー装置２０の停止後のクリーンルームＣＲ内の花粉量を測定するための花粉センサ２３が設置されている。
花粉センサ２３は、１平方センチメートル当りの花粉の個数を測定することにより、クリーンルームＣＲ内の上部および下部の花粉量をそれぞれ測定する。
なお、エアシャワー装置２０によって吹き飛ばされた花粉はクリーンルームＣＲの下部に集まるため、花粉センサ２３はクリーンルームＣＲ内の下部にのみ設置してもよいが、本実施例では、エアシャワー装置２０によって吹き飛ばされた花粉の一部はクリーンルームＣＲの壁を伝わって舞い上がるものもあるため、クリーンルームＣＲ内の上部にも花粉センサ２３を設置して、２個の花粉センサ２３で測定した花粉量のうち値が大きい方をクリーンルームＣＲ内の花粉量（以下、「クリーンルーム花粉量」と称する。）とする。
２個の花粉センサ２３の出力信号ＶS1，ＶS2は集中制御装置１０に出力される。
【００１７】
クリーンルームＣＲ内には、湿度調節器２４も設置されている。これにより、クリーンルームＣＲ内の湿度を５０〜６０％程度に自動的に調節して、エアシャワー装置２０によって吹き飛ばされた花粉が空気の乾燥により舞い上がらないようにしている。
【００１８】
屋外花粉観測装置３１は、１平方センチメートル当りの花粉の個数を日単位で測定することにより、屋外の花粉量を観測するためのものである。
屋内花粉センサ３２は、１平方センチメートル当りの花粉の個数を測定することにより、屋内の花粉量を測定するためのものである。
【００１９】
花粉情報受信装置３３は、インターネットを介して環境省の花粉観測システムによる当該地域（このインテリジェントハウスが建てられている地域）の花粉情報を取得するためのものである。なお、この花粉情報の取得は、たとえば、花粉情報をＲＳＳ（RDF Site Summary）として提供しているサイトを利用する。
【００２０】
集中制御装置１０は、図３に示すように、ドアロック制御部１１と、花粉量取得部１２と、窓開放警報部１３と、運転時間制御部１４と、表示部１５とを備える。
【００２１】
ここで、ドアロック制御部１１は、花粉センサ２３によって測定された花粉量に基づいて玄関ドアＤ１のドアロック４３の解除を制御するドアロック制御機能を行うためのものである。
花粉量取得部１２は、屋外花粉観測装置３１、屋内花粉センサ３２および花粉情報受信装置３３から屋外の花粉量、屋内の花粉量および当該地域の花粉情報を取得する花粉情報取得機能を行うためのものである。
窓開放警報部１３は、窓Ｗ１〜Ｗ４の開放動作に伴い花粉に関する警報を窓Ｗ１〜Ｗ４の近傍に設置された警報装置４２に発する窓開放警報機能を行うためのものである。
運転時間制御部１４は、屋外の花粉量および当該地域の花粉情報に応じてエアシャワー装置２０の運転時間を制御する運転時間制御機能を行うためのものである。
【００２２】
次に、ドアロック制御部１１のドアロック制御機能を行うときの動作の詳細について、図４に示すフローチャートを参照して説明する。
ドアロック制御部１１は、エアシャワー装置２０のスイッチ２０ａからスイッチオン信号ＶSWが入力されると、クリーンルームＣＲ内に設置された２個の花粉センサ２３の出力信号ＶS1，ＶS2に基づいてクリーンルーム花粉量を検出する（ステップＳ１１，Ｓ１２）。
このとき、ドアロック制御部１１は、２個の花粉センサ２３で測定した花粉量のうち値が大きい方をクリーンルーム花粉量とする。
【００２３】
続いて、ドアロック制御部１１は、クリーンルーム花粉量（ＣＲ花粉量）が基準値以下であるか否かを判定する（ステップＳ１３）。
その結果、クリーンルーム花粉量が基準値以下であると、ドアロック制御部１１は、ドアロック４３を自動で解除するためのドアロック制御信号ＶLを玄関ドアＤ１のドアロック４３に出力するとともに、玄関ドアＤ１のドアロック４３が解除された旨を示す警報信号ＶA5を玄関ドアＤ１の近傍に設置された警報装置４２に出力する（ステップＳ１４）。
これにより、玄関ドアＤ１のドアロック４３が解除されるとともに、警報装置４２のスピーカから「玄関ドアＤ１のドアロック４３が解除された」旨の音声が出力されるため、クリーンルームＣＲ内の居住者は玄関ドアＤ１から屋内に入ることができるが、この居住者の衣服や身体などに付着した花粉はほとんどエアシャワー装置２０によって吹き飛ばされてしまっているため、花粉を屋内に持ち込むことはない。
【００２４】
一方、クリーンルーム花粉量が基準値よりも大きいと、ドアロック制御部１１は、ドアロック４３を手動で解除可能とするためのドアロック制御信号ＶLを玄関ドアＤ１のドアロック４３に出力するとともに、花粉は未だ付着しているが玄関ドアＤ１のドアロック４３は解除可能である旨を示す警報信号ＶA5を玄関ドアＤ１の近傍に設置された警報装置４２に出力する（ステップＳ１５）。
これにより、玄関ドアＤ１のドアロック４３が手動で解除可能にされるとともに、警報装置４２のスピーカから「花粉は未だ付着しているが玄関ドアＤ１のドアロック４３は解除可能である」旨の音声が出力されるため、クリーンルームＣＲ内の居住者は玄関ドアＤ１から屋内に入るか入らないかを選択することができ、付着している花粉を更に取り除きたいときには、スイッチ２０ａを再度押してエアシャワー装置２０を動作させることができる。
【００２５】
ドアロック制御部１１は、スイッチ２０ａが再度押されてスイッチオン信号ＶSWがスイッチ２０ａから入力されると、上述したステップＳ１２からの動作を繰り返す（ステップＳ１６）。
【００２６】
次に、花粉情報取得部１２の花粉情報取得機能を行うときの動作の詳細について説明する。
花粉情報取得部１２は、屋外花粉観測装置３１の出力信号ＶS3、屋内花粉センサ３２の出力信号ＶS4および花粉情報受信装置３３の出力信号ＶS5に基づいて、屋外の花粉量、屋内の花粉量および当該地域の花粉情報を取得して、取得した屋外の花粉量、屋内の花粉量および当該地域の花粉情報を玄関ドアＤ１および裏口ドアＤ２の近傍に設置された警報装置４２に表示するための警報信号ＶA5，ＶA6をこの警報装置４２に出力する。
これにより、玄関ドアＤ１および裏口ドアＤ２の近傍に設置された警報装置４２のディスプレイに屋外の花粉量、屋内の花粉量および当該地域の花粉情報が表示されるため、居住者は花粉の量を確認して玄関ドアＤ１または裏口ドアＤ２から外に出ることができる。
このとき、花粉情報取得部１２は、居住者が玄関ドアＤ１および裏口ドアＤ２の近傍に設置された警報装置４２に備えられたボタンを押すと、屋外の花粉量および当該地域の花粉情報に基づいて花粉の多寡を判定し、花粉が多いと判定したときには、「花粉が多くなっていますので、外出する際は帽子を被るなど花粉対策を行ってください」という音声および文字テロップを示す警報信号ＶA5，ＶA6をこの警報装置４２に出力して、外出しようとしている居住者に注意喚起するようにしてもよい。
【００２７】
また、花粉情報取得部１２は、屋内の花粉量が屋内基準値よりも大きい場合には、空気洗浄機３４を起動させるための空気洗浄機制御信号ＶCを空気洗浄機３４に出力する。
これにより、空気洗浄機３４が動作して、屋内の花粉を外に排出することができる。
【００２８】
なお、ドアロック制御部１１は、花粉情報取得部１２から屋外の花粉量および当該地域の花粉情報を受け取って、花粉センサ２３によって測定された花粉量と受け取った屋外の花粉量および当該地域の花粉情報とを比較して、花粉センサ２３によって測定された花粉量が屋外の花粉量および当該地域の花粉情報と掛け離れた値である場合には、花粉センサ２３が故障していると判定して、その旨を表示部１５に表示する。
これにより、クリーンルームＣＲ内の花粉センサ２３が故障したことを居住者に容易に気付かせることができる。
【００２９】
次に、窓開放警報部１３の窓開放警報機能を行うときの動作の詳細について、図５に示すフローチャートを参照して説明する。
窓開放警報部１３は、４個のタッチ・開閉センサ４１の出力信号ＶT1〜ＶT4に基づいて、たとえば居住者が窓Ｗ１を開放するために窓Ｗ１に触れたことを検出すると、花粉情報取得部１２から屋外の花粉量および当該地域の花粉情報を受け取って、受け取った屋外の花粉量および当該地域の花粉情報を音声および画面で示す警報信号ＶA1を窓Ｗ１の近傍に設置された警報装置４２に出力する（ステップＳ２１，Ｓ２２）。
これにより、居住者は、開放しようとしている窓Ｗ１の近傍に設置された警報装置４２のスピーカから発せられる屋外の花粉量および当該地域の花粉情報を知らせる音声およびこの警報装置４２のディスプレイに表示された屋外の花粉量および当該地域の花粉情報に応じて、窓Ｗ１を開けるか否かを判断することができる。
【００３０】
また、窓開放警報部１３は、たとえば窓Ｗ１に取り付けられたタッチ・開閉センサ４１の出力信号ＶT1に基づいて窓Ｗ１が開けられたことを検出すると、屋内の花粉量が屋内基準値以上であるか否かを判定する（ステップＳ２３，Ｓ２４）。
その結果、屋内の花粉量が屋内基準値以上であると、窓開放警報部１３は、「花粉が多くなっていますので、空気洗浄機を起動します」という音声および文字テロップを示す警報信号ＶA1を窓Ｗ１の近傍に設置された警報装置４２に出力するとともに、空気清浄機３４を起動させるための空気洗浄機制御信号ＶCを空気洗浄機３４に出力する（ステップＳ２５）。
【００３１】
その後、窓開放警報部１３は、花粉情報取得部１２から屋内の花粉量を受け取って、受け取った屋内の花粉量が基準値未満になると、空気清浄機３４を停止させるための空気洗浄機制御信号ＶCを空気洗浄機３４に出力する（ステップＳ２６，Ｓ２７）。
【００３２】
次に、運転時間制御部１４の運転時間制御機能を行うときの動作の詳細について説明する。
運転時間制御部１４は、エアシャワー装置２０のスイッチ２０ａからスイッチオン信号ＶSWが入力されると、花粉量取得部１２から屋外の花粉量および当該地域の花粉情報を受け取って、受け取った屋外の花粉量および当該地域の花粉情報に応じてエアシャワー装置２０の運転時間を決定し、決定した運転時間を示す運転時間制御信号ＶCRをエアシャワー装置２０に出力する。
これにより、外気の状況によってエアシャワー装置２０の運転時間を変えることができるため、外気の状況に応じて居住者の衣服や身体などに付着した花粉をエアシャワー装置２０によって効率的に除去することができる。
【００３３】
なお、屋外の花粉量の多寡の判定は、たとえば以下に示すレベル１〜４に基づいて行う。また、花粉量のＣＲ基準値および屋内基準値は、たとえば以下に示すレベル１〜４のうちレベル１に相当する値とする。
（１）レベル４（非常に多い）：１平方センチメートル当り５０個／日以上
（２）レベル３（多い）：１平方センチメートル当り３０個／日以上で５０個／日未満
（３）レベル２（やや少ない）：１平方センチメートル当り１０個／日以上で３０個／日未満
（４）レベル１（少ない）：１平方センチメートル当り０個／日から１０個／日未満
【符号の説明】
【００３４】
１０  集中制御装置
１１  ドアロック制御部
１２  花粉量取得部
１３  窓開放警報部
１４  運転時間制御部
１５  表示部
２０  エアシャワー装置
２０ａスイッチ
２１  噴出口
２２  吸込装置
２３  花粉センサ
２４  湿度調節機
３１  屋外花粉観測装置
３２  屋内花粉センサ
３３  花粉情報受信装置
３４  空気洗浄機
４１  タッチ・開閉センサ
４２  警報装置
４３  ドアロック
ＣＲ  クリーンルーム
Ｄ１  玄関ドア
Ｄ２  裏口ドア
Ｗ１〜Ｗ４  窓
ＶC  空気洗浄機制御信号
ＶCR  運転時間制御信号
ＶSW  スイッチオン信号
ＶS1〜ＶS5，ＶT1〜ＶT4  出力信号
ＶL  ドアロック制御信号
ＶA1〜ＶA6  警報信号
Ｓ１１〜Ｓ１６，Ｓ２１〜Ｓ２７  ステップ
【図１】
2011089299.tif 000003
【図２】
2011089299.tif 000004
【図３】
2011089299.tif 000005
【図４】
2011089299.tif 000006
【図５】
2011089299.tif 000007